(57)【要約】【課題】  本発明はある寝姿勢から他の寝姿勢へ寝返りしやすくした構造、特に仰臥姿勢から側臥姿勢に寝返りしやすくした構造の敷きマットを提供する。【解決手段】  敷きマット１は、貫通孔５を多数有する上部材３と、上部材３を上面に接合する下部材４と、前記貫通孔５に設ける多数の駒部材とからなる。駒部材２や下部材４は、マットの幅方向中央領域のものを硬い素材で構成し、両側領域のものを軟らかい素材で構成している。駒部材２は上部材３から突出してその上面を上部材３の上面より１０ｍｍ高くしている。駒部材２の側面と貫通孔５の内壁面との間には垂直通気路６となる隙間が形成してあり、上部材２の下面と凹凸上面を有する下部材３の上面との間には水平通気路７が形成してある。【選択図】      図１
2007144100.tif 000002
【特許請求の範囲】
【請求項１】
貫通孔を多数有する上部材が下部材の上面に接合され、前記貫通孔内にそれぞれ駒部材が挿入された構造を有する敷きマットであって、前記上部材が、前記駒部材に較べて軟らかい素材で構成されていることを特徴とする敷きマット。
【請求項２】
駒部材が、マットの幅方向中央領域では比較的硬い素材で構成され、幅方向両側領域では比較的軟らかい素材で構成されていることを特徴とする請求項１記載の敷きマット。
【請求項３】
下部材が、マットの幅方向中央領域では比較的硬い素材で構成され、幅方向両側領域では比較的軟らかい素材で構成されていることを特徴とする請求項１記載の敷きマット。
【請求項４】
前記駒部材の水平断面の差し渡しの長さが、一方向または数方向で前記貫通孔の水平断面の差し渡しの長さ以上とされるとともに、それ以外の方向で前記貫通孔の水平断面の差し渡しの長さより小さくされて駒部材の側面と貫通孔の内壁面との間に垂直通気路となる隙間を形成していることを特徴とする請求項１乃至請求項３のいずれか１項記載の敷きマット。
【請求項５】
前記下部材の上面が凹凸とされて、当該凹凸上面と上部材の下面との間に前記垂直通気路に繋がる水平通気路となる隙間を形成していることを特徴とする請求項４記載の敷きマット。
【請求項６】
前記駒部材は、上部材の上面あたりから上方に突出している部分と突出していない部分との上下２層で構成され、上層が下層に較べて軟らかい素材で構成されていることを特徴とする請求項１乃至請求項５のいずれか１項記載の敷きマット。
【発明の詳細な説明】
【技術分野】
【０００１】
本発明は、寝姿勢の変化を考慮した寝返りしやすい敷きマットに関する。
【背景技術】
【０００２】
良好な寝心地を提供する敷きマットとして、ポリウレタンフォームなどの弾性体にプロファイル加工、２次元裁断加工などを施して、その表面に種々の凹凸形状を形成したものが知られている。下記の特許文献等で知られている敷きマットは、表面が連続した平坦面のものとは異なり、各凸部が独立して圧縮を受けるし、前後左右に傾くものであるため身体形状に沿いやすく、体圧を均等に受けて良好な寝心地を提供している。
【特許文献１】実開昭５３−９８６１２号公報
【特許文献２】特開昭５５−１０８３２５号公報
【発明の開示】
【発明が解決しようとする課題】
【０００３】
しかしながら、このような敷マットは、身体の受ける体圧の局部集中を良好に防ぐが、実際の睡眠において、人は寝返り打って姿勢を変えることで、体圧をより分散させようとしている。
本発明は、寝姿勢の変化を考慮した敷きマットが良好な寝心地を与えるとの知見に基づいてなされたもので、ある寝姿勢から他の寝姿勢へスムーズに寝返りしやすくした構造、特に仰臥姿勢から側臥姿勢に寝返りしやすくした構造の敷きマットを提供することを目的とする。
【課題を解決するための手段】
【０００４】
本発明者らは、上記の目的を達成するために、寝返り方向とは反対側に人体を支持する弾性部が必要であると考えて本発明を完成させた。
【０００５】
すなわち、本発明の敷きマットは、貫通孔を多数有する上部材が下部材の上面に接合され、前記貫通孔内にそれぞれ駒部材が挿入された構造を有する敷きマットであって、前記上部材が、前記駒部材に較べて軟らかい素材で構成されていることを特徴とする。
【０００６】
本発明の好ましい態様の敷きマットは、駒部材が、マットの幅方向中央領域では比較的硬い素材で構成され、幅方向両側領域では比較的軟らかい素材で構成されている。
【０００７】
また、本発明の好ましい態様の敷きマットは、下部材が、マットの幅方向中央領域で比較的硬い素材で構成され、幅方向両側領域では比較的軟らかい素材で構成されている。
【０００８】
また、本発明の好ましい態様の敷きマットは、駒部材の水平断面の差し渡しの長さが、一方向または数方向で貫通孔の水平断面の差し渡しの長さ以上にされるとともに、それ以外の方向で貫通孔の水平断面の差し渡しの長さより小さくされて駒部材の側面と貫通孔の内壁面との間に垂直通気路となる隙間を形成している。
【０００９】
また、本発明の好ましい態様の敷きマットは、下部材の上面が凹凸とされて、当該凹凸上面と上部材の下面との間に垂直通気路に繋がる水平通気路となる隙間を形成している。
【００１０】
また、本発明の好ましい態様の敷きマットは、駒部材が、上部材の上面あたりから上方に突出している部分と突出していない部分との上下２層から構成され、上層が下層に較べて軟らかい素材で構成されている。
【発明の効果】
【００１１】
本発明の敷きマットは、上部材を駒部材より軟らかい素材で構成したので、各駒部材が人体荷重をほぼ独立して受けるとともに、前後左右に傾動して使用者の体圧の集中を抑制することはもちろん、使用者が寝返りをうつ際、各駒部材がスプリングのような機能を果して寝返り方向とは反対側の人体のいずれかの部分をしっかり支持して、使用者の寝返りを容易とする。
【００１２】
好ましい態様の敷きマットとしては、駒部材や下部材がマットの幅方向中央領域に存在するものと較べて、両側領域に存在するものを軟らかい素材で構成すれば、使用者は中央領域から両側領域へ回転しやすくなり、また、側臥姿勢では、人体の重心が比較的高い位置となるので仰臥姿勢へは戻り易い。すなわち、仰臥姿勢から側臥姿勢へ、またその反対方向に寝返りしやすくなる。
【００１３】
また、好ましい態様の敷きマットとして、駒部材の水平断面の差し渡しの長さを、一方向または数方向で貫通孔の水平断面の差し渡しの長さ以上とすれば、駒部材が上部材に適度に保持されて定位置からズレたり傾き過ぎたりせず、それ以外の方向で貫通孔の水平断面の差し渡しの長さより小さくすれば、垂直通気路となる隙間が形成されて蒸れも抑制される。
【００１４】
また、好ましい態様の敷きマットとして、下部材の上面を凹凸とすることで垂直通気路に繋がる水平通気路を形成すれば、人体接触面から垂直通気路、水平通気路を介して敷きマットの端面に至る通気路が連通して形成されて蒸れがより抑制される。さらに、駒部材は下部材の凹凸上面の凸部に支えられている状態であるため、人体荷重により駒部材が下部材の凹凸上面部分にめり込むように沈むといった動きがあり、使用者の体圧の集中がより抑制される。
【００１５】
また、好ましい態様の敷きマットとして、駒部材を、上部材の上面あたりより上方に突出している部分と突出していない部分との上下２層で構成し、上層を下層に比べて軟らかい素材で構成すれば、体圧集中の防止性（体圧分散性）と寝返りを容易とするための人体支持性とをバランス良く高められる。
【発明を実施するための最良の形態】
【００１６】
本発明の実施形態の敷きマットを図面に基づき説明する。
ここで図１は長手方向を切り欠いた本発明の基本形態の敷きマットの部分的斜視図、図２は上部材、下部材、駒部材の位置関係の説明図で、（ａ）は垂直断面図、（ｂ）は（ａ）のＡ−Ａ線断面図、図３は駒部材と貫通孔の他の形態の一例を示す説明図、図４は第１実施例の敷きマットの説明図、図５は第２実施例の敷きマットの説明図である。
本発明の敷きマット１は、図１に示すように、少なくとも駒部材２、上部材３及び下部材４で構成されるもので、例えば、下部材４の上面に多数の貫通孔５を有する上部材３を接着し、この貫通孔５内に駒部材２を挿し込んで作製する。
【００１７】
敷きマット１は、上記の各部材を組み付けてなる部分に網布、織布、編布等からなるカバー材で被覆して得られるが、カバー材の図示は省略する。駒部材２や上部材３は、合成樹脂発泡体等の弾性を有する素材からなるもので、合成樹脂発泡体は、ポリウレタンフォーム、ポリエチレンフォーム、ラバーフォーム等が例示されるが、連続気泡で構成されて通気性があるためポリウレタンフォームが好適である。下部材４の素材は、上記の合成樹脂発泡体が好適であるが、固綿等の繊維体でもよい。
【００１８】
駒部材２の形状は限定されるものではないが、駒部材２自体が上部材３の貫通孔５に挿入されやすく保持されやすくするために柱状とすると良く、さらに、貫通孔５の形状との関係において、駒部材２自体が貫通孔５の内壁面で挟持されるとともに、駒部材２の側面と貫通孔５の内壁面との間に隙間を生じさせる形状にすると良い。具体的には、駒部材２の形状は、水平断面形状において、円形であっても、楕円形でも、図３（ａ）に示すような瓢箪形でも良いが、前後左右に傾動しやすいものとするために円形とするとよい。この駒部材２の大きさは、人体を適度に支持するために水平断面の面積２０〜７０ｃｍ２、厚さ４０〜６０ｍｍとすると良い。敷きマット１において、駒部材２の上面は、上部材３の上面より多少低くてもよいが人体支持性を適度とするために５〜２０ｍｍ高くすると良い。
【００１９】
敷きマット１において、駒部材２は、上部材３より硬い素材で構成するものであるが、図２に示すように、この硬い素材からなる部分（下層２２）の上面側に、人体へのあたりを弱めるために軟らかい素材からなる部分（上層２１）を設けると良い。なお、上層２１を構成する素材は、上部材３より軟らかくても良い。
この際、上層２１と下層２２の境界が、上部材３の７５％以上の高さに位置するようにする。この値が７５％未満であると人体支持性が悪化することがある。駒部材２の上層２１と下層２２との境界を、上部材３の上面あたり（上部材３の８０〜１０５％の高さであると良い。）に位置させると、人体支持性と体圧分散性のバランスが良い敷きマットとなる。
【００２０】
駒部材２あるいは駒部材の下層２２は、体圧分散性及び人体支持性の点で硬度１００〜６００Ｎの素材で構成すると良い。また、駒部材ごとに硬度を異ならせてもよく、例えばマットの幅方向中央領域に存在する駒部材２を幅方向両側領域に存在する駒部材２と較べて硬くすれば、側臥姿勢に導きやすい敷きマットとすることができるとともに、敷きマットの両側が相対的に軟らかいことになるので、使用者の側臥姿勢における肩や上腕部への圧迫も小さくなる。さらに、長手方向において、臀部に対応する領域に存在する駒部材２を、その周りの領域に存在する駒部材２と較べて硬くすれば臀部の沈み込みが小さくなるので使用者の寝返りをより容易とする。なお、本発明の趣旨に反しなければ上記以外の硬度の素材で駒部材２を構成してもよい。
【００２１】
駒部材２の上層２１は、硬度２０〜６０Ｎ（ＪＩＳＫ６４００；Ｄ法）の素材で構成すると良い。特にこの素材としては低反発弾性ポリウレタンフォームを用いると良い。低反発弾性ポリウレタンフォームは、荷重を解放させたときに、ゆっくりと復元する性質を有するものである。
【００２２】
駒部材２は、敷きマット全面に均一に設ける必要はないが、マットの領域中に本発明の特徴とする構造を７０％程度以上の領域に形成することが好ましい。また、本発明の特徴とする構造の領域は、その領域において駒部材２の面積が占める割合（駒部材の表面比率）が３５〜６０％であると良い。この値が３５％未満であると、体圧分散性及び人体支持性が悪化することがあり、６０％超であると、上部材３の強度が低下して駒部材２を適切に保持できないことがある。
【００２３】
上部材３には、上下に貫通する貫通孔５が多数形成されており、上部材３は貫通孔５に挿入された駒部材２をその側面から保持する機能を有する。貫通孔５の形状は、限定されるものではないが、加工コストの関係で打ち抜きで形成されるもので良く、駒部材２の形状との関係において、駒部材２をこの貫通孔５の内壁面で挟持するとともに、駒部材２の側面と貫通孔５の内壁面との間に隙間を生じさせるような形状とすると良い。具体的には、貫通孔５の形状は、水平断面形状において円形でも、楕円形でも、図３（ｂ）に示すような多角形でもよいが、駒部材２を円柱状とした場合には、楕円形あるいは四角以上の多角形とすると良い。貫通孔５の大きさは、駒部材２を貫通孔５の内壁面で挟持する箇所では、水平断面において駒部材２の差し渡しの長さと同じかそれよりも小さい差し渡しの長さとし、隙間が生じる箇所では、駒部材２の差し渡しの長さより貫通孔５の差し渡しの長さを大きくすると良い。更に、駒部材２を挟持する箇所の差し渡しの長さは、同箇所の駒部材２の差し渡しの長さより１〜１０％小さく、隙間が生じる箇所については、同箇所の駒部材２の差し渡しの長さより５〜２０％大きくすることが好ましい。貫通孔５の差し渡しの長さと駒部材２の差し渡しの長さがこのような関係であると、隙間部分に適度な垂直通気路６が形成されるとともに、駒部材２を貫通孔５の内壁面や下部部材４の上面に接着しなくても駒部材２の位置決め保持がなされるので敷きマット１自体の作製が容易である。
【００２４】
上部材３は、駒部材２が前後左右に適度に傾動するように、厚さ３０〜５５ｍｍとし、硬度４０〜８０Ｎの素材で構成すると良い。また、上部材３は、敷きマット全面にわたってすべて同一の素材で構成する必要はなく、硬度４０〜８０Ｎの範囲で硬度の異なる素材を繋ぎ合わせて構成してもよい。なお、本発明の趣旨に反しなければ、上記以外の硬度の素材で上部材を構成してもよい。
【００２５】
下部材４は、その上面に上部材３を接合するとともに、駒部材２を載置ないし接合するものである。下部材４の厚さは特に限定されないが２０〜８０ｍｍ程度である。また、下部材の上面を山と谷とが縞状に繰り返す凹凸あるいは山及び窪みが千鳥格子状に並んだ凹凸とすれば、垂直通気路６に繋がった水平通気路７が形成されて人体の蒸れがより軽減される。このような凹凸を有する下部材４はポリウレタンフォームの加工に汎用されるプロファイル裁断加工で成形すると良い。このような下部材は硬度１５０〜５００Ｎの素材で構成すると良い。
【００２６】
また、下部材４は、敷きマット全面にわたってすべて同一の素材で構成する必要はなく、例えば幅方向の中央領域に存在する素材をその両側の領域に存在する素材と比べて硬く構成することで側臥姿勢に導きやすい敷きマットになる。
【実施例１】
【００２７】
実施例１の敷きマット１は、図１に示すように、貫通孔５を多数有する上部材３と、上部材３を上面に接合する下部材４と、前記貫通孔内に挿入した多数の駒部材２とからなり、実施例１においては、駒部材２を図４に示すように配設している。この際、駒部材２は、直径８０ｍｍ、高さ５０ｍｍの円柱形状のものを１６３個使用し、駒部材２を上下２層にするとともに、上層２１は厚さ１５ｍｍ、下層２２は厚さ３５ｍｍとし、上層の素材には密度５０ｋｇ／ｍ３、硬度４０Ｎの低反発弾性ポリウレタンフォームを用い、下層には物性の異なる５種のポリウレタンフォームを用いた。この５種の素材の物性は表１に示す通りであり、図４の駒部材２に付記した数字は、下表の丸数字に対応している。
【００２８】
【表１】
2007144100.tif 000003
【００２９】
駒部材２は、他の部材とは接着されておらず、また、上部材３の上面から上方に突出してその上面を上部材３の上面より１０ｍｍ高くしている。駒部材２の側面と貫通孔５の壁面との間には部分的に垂直通気路６が形成してあり、上部材２の下面と凹凸上面を有する下部材３の上面との間には水平通気路７が形成してある。
【００３０】
実施例１の駒部材２の配置にあっては、敷きマット１の頭部側Ｘと足部側Ｙを決めて使用する態様のマット構成とし、人体荷重の大きい領域、小さい領域に対応して駒部材２の硬度を異ならせるとともに、人体の胸部、腰部、臀部、下腿部に対応する領域については、各領域ごとに、幅方向中央領域の駒部材２の硬度を、幅方向両端領域の駒部材２の硬度より硬く構成した。
なお、上部材２は、全体に均一分散した１６３個の貫通孔５を有する４０ｍｍ×幅１０００ｍｍ×長さ２０００ｍｍの直方体形状ものを使用した。貫通孔５の形状はマットの長手方向の差し渡しの長さ９０ｍｍ、幅方向の差し渡しの長さ７５ｍｍの楕円形状である。上部材の素材には密度２２ｋｇ／ｍ３、硬度６０Ｎのポリウレタンフォームを用いた。
そして、この実施例では、駒部材２の存在する領域の面積中に駒部材２の面積が占める割合（駒部材２の表面比率）は４０．９％であった。
【００３１】
また、下部材４は、プロファイル裁断加工を施した、厚さ（凸／凹）６０／４５ｍｍ×幅１０００ｍｍ×長さ２０００ｍｍの山及び窪みが千鳥格子状に並んだ凹凸上面を有する形状のものを使用した。下部材の素材には密度３５ｋｇ／ｍ３、硬度１８０Ｎのポリウレタンフォームを用いた。
【００３２】
このような実施例１の敷きマット１において、特に仰臥姿勢から側臥姿勢への寝返りが容易であり、また、体圧が分散されると同時に蒸れにくいため、寝心地性は良好であった。
更に、駒部材２が接着されていないため、使用者の体型に適するような敷きマットを作製するにあたって、不適な駒部材を適する駒部材に簡単に変更できるという特徴がある。
【実施例２】
【００３３】
前記実施例１の敷きマットとは一部異なって、上部材３の頭部側Ｘ端部領域と、足部側Ｙ端部領域については貫通孔のないポリウレタンフォームから作製し（厚みは実施例１と同一）、頭部側Ｘと足部側Ｙの貫通孔のない端部領域の上部材３を、密度３０ｋｇ／ｍ３、硬度１３０Ｎのポリウレタンフォームにするとともに、その他の領域の上部材３や、下部材４や、貫通孔５などは実施例１と同一とし、駒部材２については下層２２の物性を代えた以外は同一として敷きマット１を作製し、実施例２とした。この場合の駒部材２の表面比率も４０．９％であり、この実施例２を図５に示す。
【００３４】
この実施例２の敷きマット１においても、実施例１のと同様な特徴を有するものであった。
【実施例３】
【００３５】
実施例１に示す敷きマットと素材、駒部材２の配置等は共通するが、長手方向を分割した態様とし、図６に示すようにＡ〜Ｇの７個の独立した部分で構成される敷きマット１を作製した。この敷きマット１のカバー材での被覆は、図７に示すように、Ａ、Ｂを内カバーＴで被覆し、Ｃ、Ｄ、Ｅを内カバーＵで被覆し、Ｆ、Ｇを内カバーＶで被覆して３個の被覆部材を作製し、これら３個の被覆部材を三つ折り可能とした外カバーＷの三つの袋部に挿入することにより行った。なお、内カバーＴ、Ｕ、Ｖと外カバーＷは網状の生地で形成した。
【００３６】
実施例３の敷きマット１は、実施例１の敷きマットと同様な特徴を有することは勿論、マットの長手方向を複数の独立した部材で構成するようにしていることにより、使用者の体型に適するような敷きマットを作製するにあたって、不適な部材を適する部材に簡単に変更できるという特徴がある。
【図面の簡単な説明】
【００３７】
【図１】長手方向を切り欠いた本発明の基本形態の敷きマットの部分的斜視図
【図２】上部材、下部材、駒部材の位置関係の説明図で、（ａ）は垂直断面図、（ｂ）は（ａ）のＡ−Ａ線断面図
【図３】駒部材と貫通孔の他の形態の一例を示す説明図
【図４】第１実施例の敷きマットの説明図で（ａ）は平面図、（ｂ）は側面図
【図５】第２実施例の敷きマットの説明図で（ａ）は平面図、（ｂ）は側面図
【図６】第３実施例の敷きマットの説明図で（ａ）は平面図、（ｂ）は側面図
【図７】第３実施例の敷きマットをカバー材で被覆した場合の説明図
【符号の説明】
【００３８】
１…敷きマット、２…駒部材、３…上部材、４…下部材、５…貫通孔、６…垂直通気路、７…水平通気路。
【図１】
2007144100.tif 000004
【図２】
2007144100.tif 000005
【図３】
2007144100.tif 000006
【図４】
2007144100.tif 000007
【図５】
2007144100.tif 000008
【図６】
2007144100.tif 000009
【図７】
2007144100.tif 000010